(57)【要約】      （修正有）【課題】美容液を皮膚の深層に導入できる深層導入儀を提供する。【解決手段】深層導入儀は、少なくとも、導入機構、連結素子、及び、下蓋からなる。導入機構は、金属導入ヘッド、固定素子、金属リング、回路基板、からなる。金属導入ヘッド中央に貫通孔を有する。回路基板は金属リングと金属導入ヘッドに高周波数の振動を発生させる。連結素子は下蓋内に設置される。連接部内径周壁に螺紋部を有し、螺紋部により導入儀を美容液の瓶口に螺設し、導入儀を使用する時、直接、美容液を皮膚中に導入でき、使用が便利である。【選択図】図２
0003143447.tif 000002
【実用新案登録請求の範囲】
【請求項１】
深層導入儀であって、少なくとも、
金属導入ヘッドを有し、前記金属導入ヘッド内に、固定素子、金属リング、回路基板を有し、、前記金属導入ヘッドは、負電を帯びたアルミニウム金属で、前記固定素子はアクリル製の環状透明素子で、且つ、前記固定素子の底縁は複数の凹槽を有し、前記金属リングは正電を帯びた鉄製の環状筒体である導入機構と、
連接部を有し、前記連接部内径周壁に螺紋部を有し、且つ、内径の周壁は凹槽を有する連結素子と、
容置槽と開口を有し、前記容置槽は前記連結素子を容置し、且つ、前記連結素子の連接部と開口の周壁が緊密に設置される下蓋と、
金属片と電源スイッチを有する制御棒と、
からなり、
前記連結素子の螺紋部により、前記導入儀を美容液の瓶口に螺設し、前記導入儀を使用する時、直接、前記美容液を前記金属導入ヘッドから皮膚に導入し、使用が便利であることを特徴とする深層導入儀。
【請求項２】
前記回路基板上に複数の異なる光波を有する動力光源を有することを特徴とする請求項１に記載の深層導入儀。
【請求項３】
前記金属リング上に超音波発振チップを設置することを特徴とする請求項１に記載の深層導入儀。
【考案の詳細な説明】
【技術分野】
【０００１】
本考案は深層導入儀に関するものであって、特に、導入儀を美容液の瓶口に螺設して、使用が便利な深層導入儀に関するものである。
【背景技術】
【０００２】
肌の老化を緩やかにし、皮膚の荒れ、乾燥を防止するため、通常、肌に化粧水、乳液、美容液等の美容液を使用するが、肌の表皮細胞を改善することはできても、皮膚下の深層細胞を滋養することはできない。
【０００３】
よって、業者は導入器を研究開発し、使用者は導入器により肌の深層に対しマッサージができ、肌の本質を根本的に改善し、理想的な効果を達成する。
【０００４】
公知の導入器は、美容液を皮膚の深層に導入することができるが、導入器の使用時、両手により、金属導入ヘッドと皮膚を接触させながら、美容液を皮膚上に塗る動作をするので、使用上、不便である。
【考案の開示】
【考案が解決しようとする課題】
【０００５】
本考案の目的は、導入儀を美容液の瓶口に螺設して、使用が便利な深層導入儀を提供し、上述の問題を解決することにある。
【課題を解決するための手段】
【０００６】
本考案の具体例において、深層導入儀は、少なくとも、導入機構、連結素子、及び、下蓋からなる。導入機構は、金属導入ヘッド、固定素子、金属リング、回路基板、からなる。金属導入ヘッド中央に貫通孔を有する。回路基板は金属リングと金属導入ヘッドに高周波数の振動を発生させる。連結素子は下蓋内に設置される。連結素子は連接部を有し、連接部内径周壁に螺紋部を有し、螺紋部により導入儀を美容液の瓶口に螺設し、導入儀を使用する時、直接、美容液を皮膚中に導入でき、使用が便利である。
【０００７】
本考案のもう一つの具体例において、深層導入儀は、少なくとも、導入機構、連結素子、及び、下蓋からなる。導入機構は、金属導入ヘッド、固定素子、金属リング、回路基板、からなる。連結素子は連接部を有し、連接部内径周壁に螺紋部を有し、螺紋部により導入儀を美容液の瓶口に螺設する。美容液の瓶口はボールを設置し、このボールが金属リングを穿出して、金属導入ヘッドから突出し、金属リングにより、ボールを利用して、美容液を電子方式で、回路を形成して、皮膚深層に導入する。金属リングの上方に超音波発振チップを設置し、超音波発振チップは、ボール上の美容液と接触し、これにより、美容液は超音波発振チップの作用により、美容液の水分子は、分子が更に小さい霧状になり、皮膚が吸収しやすくなる。
【０００８】
本考案の更にもう一つの具体例において、深層導入儀は、少なくとも、導入機構、連結素子、及び、下蓋からなる。連結素子は連接部を有し、連接部内径周壁に螺紋部を有し、螺紋部により導入儀を美容液の瓶口に螺設し、導入儀は制御棒を有し、制御棒上に電源スイッチと金属片を有し、電源スイッチにより、導入儀の電源を制御することができ、使用者は手で制御棒を握り、金属片と接触し、これにより、人体が帯びている負電を導入儀中に導入し、導入儀中の正電を吸収し、電子回路を形成して、導入儀の導入効果を増加させる。
【考案の効果】
【０００９】
本考案は、導入儀を美容液の瓶口に螺設して、使用が便利な深層導入儀を提供し、使用上の不便を改善する。
【考案を実施するための最良の形態】
【００１０】
図１を参照すると、本考案の深層導入儀１は、少なくとも導入機構２、連結素子３、及び、下蓋４からなる。
【００１１】
導入機構２は、金属導入ヘッド２１、固定素子２２、金属リング２３、回路基板２４、からなる。金属導入ヘッド２１は金属製の環状体で、実施時、負電を帯びたアルミニウムにより実施し、金属導入ヘッド２１中央に貫通孔２１１を有する。固定素子２２はアクリル製の環状透明素子で、固定素子２２は第一段差部２２１、第二段差部２２２、及び、第三段差部２２３を有し、第一段差部２２１、第二段差部２２２、及び、第三段差部２２３は、上から下に階段状に広がる形状である。固定素子２２の中央に容置部２２４を有し、固定素子２２の底縁は、複数の凹槽２２５を有する。金属リング２３は正電を帯びた鉄製の環状筒体で、金属リング２３の上方は内に延伸する凸縁２３１を有する。回路基板２４は、固定素子２２の下方に設置されると共に、電源線Lを有し、回路基板上に複数の異なる光波を有する動力光源２４１（例えば、LED）を設置し、動力光源２４１は、固定素子２２底部の凹槽２２５に対応し、凹槽２２５内に容置される。
【００１２】
連結素子３は係合部３１を有し、係合部３１下方は環状平台３２を設置する。環状平台３２上に電源線穿孔３２１を有し、平台３２の下方に係合部３１から連接部３３を延伸し、連接部３３内径周壁に螺紋部３３１を有する。
【００１３】
下蓋４は、容置槽４１を有し、容置槽４１下方に貫通開口４２を有し、容置槽４１の底部は電源線出口４１１を有する。
【００１４】
本考案の導入儀１の実施時、図２〜図４で示されるように、固定素子２２を金属導入ヘッド２１内に設置し、固定素子２２の第一段差部２２１と金属導入ヘッド２１の貫通孔２１１を等高にし、続いて、金属リング２３を固定素子２２の容置部２２４中に設置し、金属リング２３の凸縁２３１を第一段差部２２１の底縁に抵接させ、回路基板２４は固定素子２２の下方に設置し、回路基板２４の動力光源２４１を固定素子２２底部の凹槽２２５内に設置する。連結素子３は下蓋４の容置槽４１内に設置され、且つ、連接部３３外縁と下蓋４の開口４２内縁が緊密に設置され、回路板２４の電源線Lは、連結素子３の電源線穿孔３２１、及び、下蓋４の電源線出口４１１により穿出し、最後は、導入機構２と下蓋４を結合し、組み合わせが完成する。
【００１５】
導入儀１の使用時、連結素子３の連接部３３の螺紋部３３１により、導入儀１を美容液５の瓶口の螺紋部５１上に螺設し、美容液５の瓶口にボール５２を有し、ボール５２は金属リング２３を穿出すると共に、金属導入ヘッド２１から突出し、金属リング２３により、ボール５２を利用して、電子方式で回路を形成し、皮膚深層に導入する。電源がオンの時、金属導入ヘッド２１は高周波数振動を生成し、ボール５２中の美容液は、金属導入ヘッド２１に伴い、使用者の皮膚中に導入される。図５で示されるように、負電イオンを帯びた金属導入ヘッド２１により、金属リング２３の正電イオンを吸収して、電子回路を形成し、美容液が皮膚中に浸透しやすくなる。この他、導入儀１の使用時、回路基板２４上の動力光源２４１は異なる色（赤、黄色、青、緑等）を有し、動力光源２４１の動力光は、プラスチック材質の透明固定素子２２により透出し、金属導入ヘッド２１の貫通孔２１１中から異なる光波の波長を発し、波長により異なる効果を達成する。
【００１６】
図６で示されるように、本考案の実施時、美容液５の瓶口は凸縁５３を設置して、螺紋部５１を代替し、連結素子３の連接部３３内径周壁は、対応する凹槽３３２を有し、連接部３３の凹槽３３２により、美容液５の瓶口の凸縁５３に係合し、組み立てが便利である。
【００１７】
図７で示されるように、本考案の実施時、金属リング２３の凸縁２３１表面に超音波発振チップ６を設置し、超音波発振チップ６は、ボール５２上の美容液と接触するので、美容液は超音波発振チップ６の作用により、美容液の水分子が、更に小さい霧状になり、導入機構２により皮膚に導入され、皮膚が吸収しやすい。
【００１８】
また、図８で示されるように、本考案の実施時、電源線L上に制御棒７を設置し、制御棒７は、電源スイッチ７１と金属片７２を設置し、電源スイッチ７１により導入儀１の電源を開閉し、使用者は手で制御棒７を握り、これにより、金属片７２と接触し、これにより、人体が帯びている負電を導入儀１中に導入し、導入儀１中の正電を吸収し、負電に転換して、皮膚に導入し、更に、導入儀１の導入効果を向上させる。制御棒７の実施時、下蓋４と一体成型され、且つ、制御棒７上には、同様に、電源を制御するスイッチ７１、及び、金属片７２を有する。図９で示されるように、使用者は、手で制御棒７を握り、これにより、金属片７２と接触し、人体が帯びている負電を導入儀１中に導入し、導入儀１中の正電を吸収し、負電に転換して、皮膚に導入し、更に、導入儀１の導入効果を向上させる。
【００１９】
本考案は、導入儀１中に連結素子３を設置し、連結素子３の連接部３３を螺紋部３３１に設置することにより、導入儀１を直接、美容液５の瓶口に螺設し、美容液が金属導入ヘッド２１の高周波振動により皮膚中に導入され、公知のように手で導入儀を握って、金属導入ヘッドと皮膚を接触させながら、美容液を皮膚に塗る必要がなく、使用が便利である。また、導入儀１の金属リング２３上方に超音波発振チップ６を有し、超音波発振チップ６と美容液５瓶口に設置されたボール５２が接触し、超音波発振チップ６の作用により、ボール５２上の美容液の水分子が更に小さい霧状になり、皮膚が吸収しやすい。また、導入儀１は制御棒７を設置し、制御棒７上に電源スイッチ７１と金属片７２を設置し、手で制御棒７を握って、金属片７２に接触し、人体が帯びている負電を導入儀１中に導入し、導入儀１中の正電を吸収し、電子回路により導電儀１の導入効果を向上する。
【図面の簡単な説明】
【００２０】
【図１】本考案の導入儀の立体分解図である。
【図２】本考案の導入儀と美容液瓶体の立体分解図である。
【図３】本考案の導入儀の立体図である。
【図４】本考案の導入儀の断面図である。
【図５】本考案の導入儀の使用状態図である。
【図６】本考案の導入儀の好ましい実施例を示す図である。
【図７】本考案の導入儀のもう一つの好ましい実施例を示す図である。
【図８】本考案の導入儀の更にもう一つの好ましい実施例を示す図である。
【図９】本考案の導入儀の更にもう一つの好ましい実施例を示す図である。
【符号の説明】
【００２１】
１  深層導入儀
２  導入機構
３  連結素子
４  下蓋
５  美容液
２１  金属導入ヘッド
２２  固定素子
２３  金属リング
２４  回路基板
２１１  貫通孔
２２１  第一段差部
２２２  第二段差部
２２３  第三段差部
２２４  容置部
２２５  凹槽
２３１  凸縁
L 電源線
２４１  動力光源
３１係合部
３２  環状平台
３２１  電源線穿孔
３３  連接部
３３１  螺紋部
３３２  凹槽
４１  容置槽
４２  貫通開口
４１１電源線出口
５２  ボール
５３  凸縁
６  超音波発振チップ
７  制御棒
７１  電源スイッチ  
７２  金属片
【図１】
0003143447.tif 000003
【図２】
0003143447.tif 000004
【図３】
0003143447.tif 000005
【図４】
0003143447.tif 000006
【図５】
0003143447.tif 000007
【図６】
0003143447.tif 000008
【図７】
0003143447.tif 000009
【図８】
0003143447.tif 000010
【図９】
0003143447.tif 000011